(57)【特許請求の範囲】
【請求項１】
外枠に側端部が軸支されて開閉可能に取り付けられ、開口部が設けられた内枠と、
前記内枠の裏面に取り付けられ導電性材料により形成されてアース接続された機構枠体と、
導電性材料により形成され遊技球を誘導する通路部と、その通路部と導通され外部に露出した接続部と、を備え前記内枠の前面に取り付けられた球通路部材と、
導電性樹脂材料により形成され前記開口部に設けられるプレート本体と、導電性材料により形成され前記プレート本体の前記機構枠体側の面に取り付けられ前記機構枠体と接触する第１バネ部材と、導電性材料により形成され前記プレート本体の前記第１バネ部材と反対側の面に取り付けられ前記接続部と接触する第２バネ部材と、を有し、前記接続部と前記機構枠体とを導通させる導通手段と、
を有することを特徴とする遊技機。
【請求項２】
前記第１バネ部材及び前記第２バネ部材が、導電性金属材料により形成されていることを特徴とする請求項１記載の遊技機。
【請求項３】
前記第１バネ部材及び前記第２バネ部材が、導電性樹脂材料により形成されていることを特徴とする請求項１記載の遊技機。
【発明の詳細な説明】
【０００１】
【発明の属する技術分野】
本発明は遊技機に係り、詳しくは、遊技球の通路を形成する球通路部材が機器本体への装着によってアース接続される遊技機に関する。
【０００２】
【従来の技術】
パチンコ機等の遊技機は、機器本体の外郭を構成して島設備に設置される外枠に、内枠が開閉可能に取り付けられており、内枠の前面側に、遊技盤やガラス枠、打球供給皿、発射ハンドル等が配設され、内枠裏面に、賞球を貯留する上タンク及び下タンクや賞球払出装置等を設けた裏セット（機構枠体）が取り付けられている。近年は、この裏セットを導電性樹脂材料で形成し、導線等を介して島設備のＧＮＤ端子にアース接続（接地）するとともに、遊技球の通路を形成する遊技盤や打球供給皿等の球通路部材を導線（アース線）を用いて裏セットに接続することで、遊技球の接触・摩擦により球通路部材に帯電する静電気を、裏セット側に除電する構成が採られている。
【０００３】
一方、最近では、打球発射装置を遊技盤の左下に配置して打球を上方に打ち出す、所謂「左打ち」と呼ばれる機種の開発が進められている。この機種の場合、従来機種の内枠に設けられて遊技盤右下に配置された打球発射装置や、遊技盤のほぼ真下に位置して発射された打球を左斜め上方に案内し遊技盤側へと導くガイドレール等が不要になるため、その遊技盤下部側に生じる空きスペースを利用して遊技領域を拡大させやすい利点がある（遊技性の向上）。
【０００４】
またそれに伴い、従来は二つに分かれていた打球供給皿（上皿）と余剰球受け皿（下皿）とを、それらの機能を併せ持つ一体皿に構成して従来の上皿高さよりも低く配置するとともに、一体皿の球皿部に収容しきれない遊技球を貯留する球貯留部材（貯球タンク）を一体皿の裏面側に設けることで、従来と同等、またはそれ以上の貯留量を確保できるようにするなど、多くの変更がなされている（例えば、特許文献１参照）。
【０００５】
【特許文献１】
特開２００１−１７７０６公報  （第３−４頁、第２図、第５図）
【０００６】
【発明が解決しようとする課題】
しかしながら、上記裏セットを介して球通路部材をアースする従来の構成では、球通路部材を裏セットに導通させるアース線の接続作業が煩雑となっており、さらに、メンテナンス等で球通路部材を脱着する際の作業性も悪くなる問題がある。また、特許文献１に示される構成では、球貯留部材も、遊技球が接触するためにアースする必要があり、このように、上記の新機種ではアース接続箇所が増えることもあるため、その接続作業性を改善することがより強く望まれている。
【０００７】
本発明は上記事実を考慮して、遊技球の通路を形成する球通路部材のアース接続作業性を良好にした遊技機を提供することを課題とする。
【０００８】
【課題を解決するための手段】
請求項１に記載の発明は、外枠に側端部が軸支されて開閉可能に取り付けられ、開口部が設けられた内枠と、前記内枠の裏面に取り付けられ導電性材料により形成されてアース接続された機構枠体と、導電性材料により形成され遊技球を誘導する通路部と、その通路部と導通され外部に露出した接続部と、を備え前記内枠の前面に取り付けられた球通路部材と、導電性樹脂材料により形成され前記開口部に設けられるプレート本体と、導電性材料により形成され前記プレート本体の前記機構枠体側の面に取り付けられ前記機構枠体と接触する第１バネ部材と、導電性材料により形成され前記プレート本体の前記第１バネ部材と反対側の面に取り付けられ前記接続部と接触する第２バネ部材と、を有し、前記接続部と前記機構枠体とを導通させる導通手段と、を有することを特徴としている。
【０００９】
請求項１に記載の発明では、内枠は側端部が外枠に軸支されて開閉可能に取り付けられ、裏面に機構枠体が取り付けられる。機構枠体は、賞球を貯留するタンクや賞球払出装置等を備えており、それら機構部を、内枠の裏面側に配設する。また、機構枠体は導電性材料によって形成され、例えば、導線等を介して機器外部のＧＮＤ端子等にアース接続されている。
【００１０】
また内枠には、遊技球を誘導する通路部を設けた球通路部材が取り付けられる。球通路部材は、少なくとも通路部は導電性材料によって形成されており、その通路部と電気的に接続されて導通した接続部が外部に露出している。なお、この球通路部材には、例えば、金属バンドを通路部として設けた遊技盤や、遊技球を貯留する貯留部を通路部とした球貯留部材等が含まれる。
【００１１】
そして球通路部材を内枠に取り付けると、機構枠体と接続部との間に介在する導電性材料により形成されたプレート本体、第１バネ部材、及び第２バネ部材を有する導通手段が、両部材に接触する。これにより、球通路部材の通路部が導通手段を介して機構枠体に導通され、アース接続される。なお、この導通手段は、機構枠体及び球通路部材の少なくとも何れかに設けることもできる。このように、球通路部材を内枠に装着するだけで通路部が簡単にアース接続されるため、球通路部材のアース接続作業性が良好になる。
【００１２】
請求項２に記載の発明は、請求項１記載の遊技機において、前記第１バネ部材及び前記第２バネ部材が、導電性金属材料により形成されていることを特徴としている。また請求項３に記載の発明は、請求項１記載の遊技機において、前記第１バネ部材及び前記第２バネ部材が、導電性樹脂材料により形成されていることを特徴としている。
【００１３】
請求項２及び請求項３に記載の発明では、上記の第１バネ部材及び第２バネ部材を、導電性金属材料や、金属繊維等を含有した導電ゴム等の導電性樹脂材料で形成することで、それらのバネ部材が球通路部材の接続部に圧接して、球通路部材の通路部を機構枠体に確実に導通することができる。さらに、確実な導通を得る導通手段の構成も簡素化することができる。
【００１８】
【発明の実施の形態】
以下、図面を参照して本発明の実施の形態を説明する。
【００１９】
図１〜図５には、本発明の一実施の形態に係るパチンコ機が示されている。図示のように、パチンコ機１０は、パチンコ機１０の外郭を構成するとともにパチンコホールの島設備に設置される矩形状の外枠１２を備えている。外枠１２の前面には窓部を有する矩形額縁状の内枠１４が配置されており、内枠１４は、外枠１２に設けられた一対のヒンジ部１５Ａ、１５Ｂに左側端部が軸支されて開閉可能に取り付けられている。
【００２０】
内枠１４の前面上部には、ガラス板１６を装着したガラスフレーム１８を窓部に備えるガラス枠２０が配置されており、ガラス枠２０は左側端部が内枠１４に軸支されて開閉可能に取り付けられている。また、ガラスフレーム１８に装着されたガラス板１６は、図２の紙面奥行き方向に所定の間隔で互いに平行に配置された一対のガラス板からなる二重構造となっている。この内枠１４の上部におけるガラス枠２０裏面側には、遊技盤載置台２１（図３参照）に載せて交換可能とされた遊技盤３２が窓部を塞ぐようにセットされている。
【００２１】
図３に示すように、遊技盤３２の右上隅部及び右下隅部には、遊技盤３２を内枠１４に取り付けるための一対の取付部９０が設けられており、これらの取付部９０には、上下方向を長手として前後方向に貫通する樽形の長穴形状とされた取付孔９２が形成されている。一方、内枠１４の前面上部には、右側端部における遊技盤３２の各取付孔９２と対応する位置に、略平板状とされた一対の回転レバー９４が突設されており、左側端部には、上下に所定の間隔で配置された一対の爪部９６及び板バネ９８が設けられている。
【００２２】
これにより、遊技盤３２を内枠１４に取り付けるには、各回転レバー９４を縦向きの姿勢にし、遊技盤３２を遊技盤載置台２１に載せて遊技盤３２の左側端部を一対の爪部９６に引っ掛け、一対の板バネ９８のバネ力（図３の矢印Ａ）に抗し遊技盤３２を左側に押しながら各取付部９０の取付孔９２を内枠１４側の各回転レバー９４に位置合わせし、そのまま遊技盤３２を内枠１４の前面に押し当てるようにして各取付孔９２を各回転レバー９４に挿通させる。さらに、各回転レバー９４を図中の矢印Ｂ方向に９０度回転させて横向きの姿勢にすると、各取付孔９２の縁部に各回転レバー９４が係合して、遊技盤３２は内枠１４の前面上部に固定される（図１の状態）。そしてここでは、遊技盤３２が一対の板バネ９８により右側へ付勢されるため、ガタ付くことなく安定して固定される。
【００２３】
また、遊技盤３２を取り外すには、各回転レバー９４を元の縦向きの姿勢に戻し各取付孔９２との係止状態を解除させ、遊技盤３２の右側端部を引き出して各取付孔９２を各回転レバー９４から抜き出し、そのまま、遊技盤３２の左側端部を一対の爪部９６から外すことにより取り外すことができる。このように、本実施形態のパチンコ機１０では、遊技盤３２が内枠１４に容易に着脱できるようになっている。
【００２４】
この遊技盤３２は、ガラス枠２０を内枠１４に閉塞した状態でガラス枠２０（ガラス板１６）に覆われるようになっており、また、ガラス枠２０と内枠１４とは、内枠１４の他側部に設けられた金属製の施錠装置（シリンダ）２２により施錠されるようになっている。
【００２５】
ガラス枠２０の施錠機構としては、ガラス枠２０裏面の他側部に、縦方向に延出された金属製の補強板１００が取り付けられており、ガラス枠２０を内枠１４に閉じると、補強板１００の上下端部近傍に形成された断面Ｌ字型の突出片１０２Ａ、１０２Ｂが、施錠装置２２のフック１０４Ａ、１０４Ｂに係合してロックされ、閉塞状態に施錠されるようになっている。
【００２６】
内枠１４の前面下部には、遊技球を貯える球皿部２４を備えた一体皿２６が配置されている。この一体皿２６も左側端部が内枠１４に軸支されて開閉可能に取り付けられており、図２に示すように、球皿部２４の後壁右側端部には、賞球が払い出される賞球払出口２７が形成されている。また、図３に示すように、内枠１４の下部における一体皿２６裏面側には、遊技盤３２の左下に打球発射装置２３が配置され球皿部２４の後方に位置して貯球タンク２５が取り付けられており、これらの打球発射装置２３及び貯球タンク２５は一体皿２６に覆われるようになっている。
【００２７】
そして、この一体皿２６も、施錠装置２２によって施錠されるようになっており、その機構としては、一体皿２６裏面の他側部に金属製の補強板１０６が取り付けられ、一体皿２６を内枠１４に閉じると、補強板１０６の上下端部近傍に形成された矩形孔１０８Ａ、１０８Ｂが、施錠装置２２のフック１１０Ａ、１１０Ｂに係合してロックされ、施錠される構成である。
【００２８】
一体皿２６の裏面には、ソレノイドによって駆動する球送り装置１１２が取り付けられている。球送り装置１１２は、一体皿２６の閉塞状態で打球発射装置２３の前面側に配置されるようになっており、この球送り装置１１２によって、一体皿２６の球皿部２４に貯留された遊技球（賞球及び貸球）が、打球発射装置２３に送り出される。また球送り装置１１２のアース線１１４は、一体皿２６の下端部近傍を他側部側に引き回されて、先端の端子１１６がネジ１１８により補強板１０６に固定されている。
【００２９】
一方、内枠１４の窓部に設置された遊技盤３２は、ベニヤ板３３の表面に樹脂材料で形成されたシート状のセル３４が貼着されて、盤面３２Ａに、金属製の外バンド３６及び内バンド３７と合成樹脂製のレール飾り３８、３９とによって囲まれた略円形状の遊技領域４０が形成されており、セル３４の表面で遊技領域４０と対応する範囲には、背景画像や各種キャラクター画像等を含む装飾画（図示省略）が印刷されている。
【００３０】
遊技領域４０には、特別図柄表示装置４２や大入賞口（変動入賞装置）４４等の役物、始動口４６や入賞口４８、風車５０等の遊技部品と、左右側端部に配置されたサイド飾り５２Ａ、５２Ｂが取り付けられており、最下位置にアウト口５４が配置されている。また遊技盤３２の右側端部に配置されたレール飾り３８の右下隅には、証紙５６を貼り付た証紙台５８が取り付けられており、この証紙台５８は、左方に配置されたヒンジ板６０に支持されて、盤面３２Ａに対して開閉動するようになっている。
【００３１】
なお、本実施形態のパチンコ機１０は、前述したように打球発射装置２３を遊技盤３２の左側下方に配置して遊技球を上方に発射する機種であり、従来機種に比べ、アウト口５４の位置を下げることにより遊技領域４０が拡大されている。
【００３２】
図２に示すように、パチンコ機１０の正面には、ガラス枠２０の前面に、賞球表示灯や完了表示灯等の機能を有する複数の表示灯６２、６３がガラス１６を取り囲むように配列されており、左上隅近傍と右側端上部に、遊技の効果音を発生するスピーカー６４、６６が配置されている。さらにガラス枠２０の内部には、表示灯６２、６３を発光させる複数のＬＥＤを搭載した基板６７Ａ、６７Ｂ、６７Ｃ、６７Ｄ、６７Ｅ、６７Ｆ、６７Ｇが設けられている。
【００３３】
一体皿２６の前面下部側には、左側に灰皿６８が配置され、右側に打球発射装置２３から発射する打球の飛距離を調整するための発射ハンドル７０と、発射ハンドル７０を操作したままの状態で打球発射を一時的に停止する発射停止ボタン７２が設けられている。また、球皿部２４の前面略中央には、貸球の貸し出し操作を行う球貸ボタン７４と、台間球貸機からカードを取り出すための返却ボタン７６が配設されており、球皿部２４の上面左側端部に、カード残高等の情報を表示する表示部７８が設けられている。さらに上記操作ボタンの下方には、大当たり時などに球を一体皿２６から球箱へ移すための球抜きボタン８０が設けられ、上部左側に、遊技終了時などに球を一体皿２６の球皿部２４から排出するための球抜きレバー８２が配置されている。
【００３４】
一方、パチンコ機１０の裏面側は、図４及び図５に示すように、内枠１４の裏面１４Ａに枠状の裏セット１２０が取り付けられている。裏セット１２０は導電性樹脂材料による成形品とされ、上部に賞球を貯留しておく上タンク１２２が設けられており、上タンク１２２の下部に、上タンク１２２に連通して上記の賞球を賞球払出装置１２４に誘導する下タンク１２６が取り付けられている。また賞球払出装置１２４は、裏セット１２０の裏面視右側端部に配置されて裏セット１２０に組み込まれている。
【００３５】
裏セット１２０の下部には、賞球払出装置１２４を作動制御する払出制御基板１２８が配設されており、払出制御基板１２８の左側に分電基板１３０が取り付けられている。裏セット１２０の右上隅には、ホールコンピュータ等の外部機器に、前述の各種制御基板を電気的に接続して本体情報を通信する枠用外部端子板１３２と、遊技盤情報を通信する盤用外部端子板（図示省略）が取り付けられている。
【００３６】
また、内枠裏面１４Ａの上下端部及び右側端部近傍には、裏面１４Ａから突出した略平板状の回転レバー１３４が計５個設けられており、裏面１４Ａの右上隅近傍には、先端部に下向きの爪部１３６が形成され弾性変形可能な板厚とされた弾性片１３８が一体的に設けられている。また裏セット１２０には、各回転レバー１３４と対応する位置に、左右方向を長手として前後方向に貫通する樽形の長穴形状で、回転レバー１３４が挿通可能な大きさとされた取付孔１４０が５個形成されている。
【００３７】
これにより、裏セット１２０を内枠１４に取り付けるには、内枠１４側の各回転レバー１３４を横向きの姿勢にし、裏セット１２０の各取付孔１４０を対応する回転レバー１３４に挿入して内枠１４の裏面１４Ａにセットする。このとき、弾性片１３８の爪部１３６が裏セット１２０の枠用外部端子板１３２取付部の下縁に係止して、裏セット１２０は仮固定される。そして、各回転レバー１３４を９０度回転させ各取付孔１４０に係合させることにより、裏セット１２０が内枠１４に固定される（図４の状態）。また裏セット１２０を取り外すときは、全ての回転レバー１３４を元の横向きの姿勢に戻し取付孔１４０との係合状態を解除させ、弾性片１３８を上方に撓ませて爪部１３６の係止状態を解除することにより可能となる。このように、本実施形態のパチンコ機１０では、裏セット１２０が内枠１４に容易に着脱できるようになっている。
【００３８】
また、内枠１４の裏面１４Ａ下部には電源ユニット１４２が配設されている。電源ユニット１４２は、左側面に、島設備側のコンセント及びＧＮＤ端子にそれぞれ繋がれる電源ケーブル１４４とアース線１４６が接続されており、下面から、分電基板１３０のコネクターに接続されて各種制御基板及び電気部品等に電力を供給する電源供給ケーブル１４８が延出されている。
【００３９】
裏面１４Ａの左側端部には、縦方向に延出する一対の立壁１５０Ａ、１５０Ｂが設けられている。立壁１５０Ａ、１５０Ｂの上方には、対向する一対の腕片によって構成されたフック１５２が２個配置されて、裏面１４Ａに一体的に形成されている。さらに裏面１４Ａの上端部には、横方向に延出する凹部１５４が形成されており、内枠１４の上壁右側端部１４Ｂは段状に落ち込んで、外枠１２との間に隙間を形成している。凹部１５４内には、横方向に配列された複数の補強リブ１５６が設けられており、各補強リブ１５６と内枠１４の上壁右側端部１４Ｂには、Ｕ字形状の深溝が形成されて外部と連通している。
【００４０】
そして電源ケーブル１４４とアース線１４６は、図示のように、立壁１５０Ａ、１５０Ｂの間を引き回されてフック１５２に固定され、凹部１５４内に収納されて、先端側が機器外部へと引き出されるよう配線処理される。さらに、前述の手順で、内枠１４の裏面１４Ａに裏セット１２０を取り付けると、電源ケーブル１４４とアース線１４６との上記引き回し部が裏セット１２０によって覆われ、所定の配線経路に固定される（図４参照）。
【００４１】
また、施錠装置２２の上下端部近傍には、それぞれアース線１５８、１６０が接続されている。上側のアース線１５８は、先端の端子１６２がネジ１６４によって裏セット１２０に固定されており、下側のアース線１６０は、電源ユニット１４２のアース線１４６が繋がれたＧＮＤ端子（図示省略）に接続されている。これにより、裏セット１２０と施錠装置２２は、アース線１５８を介して導通されるとともに、アース線１６０と電源ユニット１４２のアース線１４６を介して、島設備側のＧＮＤ端子にアースされる。
【００４２】
また、内枠１４の前面下部側に配置された貯球タンク２５は、その内枠１４の前面下部側に設けられた貯球タンク取付部１６６に着脱できるようになっている。この貯球タンク取付部１６６の上壁部１６６Ａには、裏セット１２０に組み込まれた賞球払出装置１２４の賞球排出口（図示せず）と対応する位置に矩形孔１６７が形成されており、さらに矩形孔１６７の裏面視左側には、導通バネ１６８と導通プレート１７０が取り付けられている。貯球タンク２５と導通プレート１７０は、共に導電性樹脂材料による成形品で、導通バネ１６８は金属製とされており、以下、その構成について説明する。
【００４３】
図６〜図８には、貯球タンク取付部１６６近傍の拡大図が示されている。図６に示すように、貯球タンク２５は、上面２５Ａにおける貯球タンク取付部１６６の矩形孔１６７と対応する位置（裏面視右側）に開口部１７２が形成され、前面２５Ｂにおける一体皿２６の賞球払出口２７との対応位置（裏面視左側）には開口部１７４が形成されており、タンク底面２５Ｄが開口部１７２側から開口部１７４側へ下り傾斜している。また、貯球タンク２５の裏面２５Ｃには、裏面視左側端部近傍に位置して矩形状の凸部１７６が設けられており、貯球タンク取付部１６６の後壁部１６６Ｂには、この凸部１７６と対応して、凸部１７６よりも少し大きい矩形状の開口部１７８が形成され、さらに、後壁部１６６Ｂの略中央上端部近傍にはボス１７９が設けられている。
【００４４】
図３に示すように、貯球タンク２５の下面２５Ｅには、貯球タンク２５を内枠１４に取り付ける際の固定部となる取付片２００が一体的に設けられている。取付片２００は所定厚さの略矩形板状で、略中央部には、左右方向を長手として前後方向に貫通する樽形の長穴形状とされた取付孔２０２が形成されており、さらに取付孔２０２の左側には、円形の位置決め孔２０４が形成されている。一方、内枠１４の前壁前面には、取付孔２０２と対応する位置に略平板状の回転レバー２０６が設けられており、位置決め孔２０４と対応する位置には位置決めボス２０８が突設されている。
【００４５】
これにより、貯球タンク４２を内枠１４に取り付けるには、回転レバー２０６を横向きの姿勢にし、貯球タンク２５を内枠１４の貯球タンク取付部１６６にセットすると、取付片２００の位置決め孔２０４が内枠１４側の位置決めボス２０８に嵌め入れられて位置決めされるとともに、取付孔２０２には、回転レバー２０６が挿通される。この回転レバー２０６を図中の矢印Ｃ方向に９０度回転させて縦向きの姿勢にすると、取付孔２０２の縁部に回転レバー２０６が係合して、貯球タンク２５は内枠１４の貯球タンク取付部１６６に固定される（図３の状態）。また、貯球タンク２５を取り外すには、回転レバー２０６を元の横向きの姿勢に戻し取付孔２０２との係合状態を解除させ、貯球タンク２５を引っ張り出すことにより取り外すことができる。このように、本実施形態のパチンコ機１０では、貯球タンク２５が内枠１４に容易に着脱できるようになっている。
【００４６】
また、貯球タンク２５を貯球タンク取付部１６６に取り付けると、図７に示すように、上面２５Ａの開口部１７２は貯球タンク取付部１６６の矩形孔１６７に位置合わせされ、また、裏面２５Ｃの凸部１７６は、貯球タンク取付部１６６の開口部１７８から内枠１４の裏面１４Ａ側に露出するようになる。これにより、賞球払出装置１２４から排出された賞球は、矩形孔１６７を介し開口部１７２からタンク内に入ってタンク底面２５Ｄを開口部１７４側へ流下し、開口部１７４を介し賞球払出口２７から一体皿２６の球皿部２４に払い出される。そして、球皿部２４が払い出された賞球（遊技球）で一杯になると、余剰分は貯球タンク２５内に貯留されて、球皿部２４の球の減り具合に応じ排出される。
【００４７】
また、貯球タンク取付部１６６の上壁部１６６Ａには、遊技盤３２のアウト口５４と対応する位置に凹段部１８０が形成されており、導通バネ１６８は、下部側に設けられた平板状の嵌合片１６８Ａが凹段部１８０に嵌め込まれている。導通バネ１６８の上部側は、前方へ断面略Ｊ字状に延出したバネ片１６８Ｂとなっており、このバネ片１６８Ｂの前端部は、遊技盤３２が内枠１４に取り付けられると、遊技盤３２のアウト口５４に取り付けられた金属製の装飾部材１８２の裏面周縁１８２Ａ下部に圧接するようになっている。また、装飾部材１８２の前面周縁１８２Ｂには、遊技盤３２の盤面３２Ａに設けられた内バンド３７が接触して導通しており（図５参照）、内バンド３７には外バンド３６が直接接触して、あるいは導通線等を介して導通している。
【００４８】
導通プレート１７０は、断面がＬ字型に形成されたプレート本体１８４を備えている。プレート本体１８４の上壁部１８６は、上面が後方に少し下降傾斜しており、また一側端部から、上壁部１８６側に少し下降傾斜する傾斜板１８８が延出している。さらに、上壁部１８６上面の一側端側には、後方へ少し下降傾斜する傾斜面部１９０が設けられている。傾斜面部１９０は、内枠１４側の凹段部１８０に対応して配置されており、前端が前方へ突出するとともに、上面が傾斜方向に沿った凹凸形状とされている。
【００４９】
プレート本体１８４の後壁部１９２には、他側端部近傍に位置して、前面１９２Ａ及び裏面１９２Ｂに金属製の板バネ１９４Ａ、１９４Ｂが取り付けられている。さらに裏面１９２Ｂには、ボス１７９との対応位置に、横長楕円形状の筒状部１９６が突設されている。
【００５０】
これにより、導通プレート１７０を内枠１４に取り付けるには、筒状部１９６をボス１７９に嵌め入れて貯球タンク取付部１６６の上壁部１６６Ａに位置決めセットし、図示しないネジで固定することにより行う。そしてこの導通プレート１７０により、遊技盤３２の各入賞口４８に入賞して、遊技盤３２の裏面側に誘導された入賞球は、傾斜板１８８及び上壁部１８６に落下して受け止められ、後壁部１９２側から下方（機器外部）に排出されて、島設備側に回収される。また、アウト口５４に収容された遊技球については、傾斜面部１９０で受け止められて、同じく後壁部１９２側に排出されるようになる。
【００５１】
また、図８に示すように、導通プレート１７０の取付状態では、傾斜面部１９０の前端部が導通バネ１６８の嵌合片１６８Ａに当接して導通バネ１６８を固定しており、これによって、導通プレート１７０は導通バネ１６８と導通することになる。そして、遊技盤３２を内枠１４に取り付けると、アウト口５４に取り付けられた装飾部材１８２に導通バネ１６８のバネ片１６８Ｂが圧接する。また、貯球タンク２５を前述した手順で内枠１４の貯球タンク取付部１６６に取り付けると、導通プレート１７０の後壁部１９２に設けられた前面１９２Ａ側の板バネ１９４Ａが、貯球タンク取付部１６６の後壁部１６６Ｂの開口部１７８を通して貯球タンク２５の凸部１７６に圧接する。また、裏セット１２０を前述した手順で内枠１４に取り付けると、導通プレート１７０の後壁部１９２に設けられた裏面１９２Ｂ側の板バネ１９４Ｂが、裏セット１２０の取付面（前面）に設けられた凸部１９８に圧接する。
【００５２】
これにより、遊技盤３２の装飾部材１８２と裏セット１２０の凸部１９８との間には、導通バネ１６８、導通プレート１７０、及び板バネ１９４Ｂが介在して、遊技盤３２の外バンド３６及び内バンド３７は、装飾部材１８２、導通バネ１６８、導通プレート１７０、及び板バネ１９４Ｂを介して裏セット１２０に導通される。また、貯球タンク２５凸部１７６と裏セット１２０の凸部１９８との間には、板バネ１９４Ａ、導通プレート１７０の後壁部１９２、及び板バネ１９４Ｂが介在して、貯球タンク２５は、板バネ１９４Ａ、導通プレート１７０、及び板バネ１９４Ｂを介して裏セット１２０に導通される。したがって、遊技球の通路を形成する遊技盤３２の外バンド３６と内バンド３７、貯球タンク２５、及び導通プレート１７０に、遊技球が接触することによって生じる静電気は、裏セット１２０及び施錠装置２２を介して、アース線１４６から機器外部に逃がされる。
【００５３】
以上説明したように、本実施形態のパチンコ機１０では、遊技盤３２及び貯球タンク２５を内枠１４に取り付けると、それらと裏セット１２０との間に介在する導通プレート１７０の板バネ１９４Ａ、１９４Ｂや導通バネ１６８が各接続部（装飾部材１８２、凸部１７６、凸部１９８）に圧接し、遊技球の通路部となる外バンド３６及び内バンド３７や貯球タンク２５のタンク底面２５Ｄが、導通プレート１７０を介して裏セット１２０に導通され、アース接続される。また、導通プレート１７０の上壁部１８６、傾斜板１８８、傾斜面部１９０も遊技球の通路部となっており、それら各部も、裏セット１２０に導通されてアース接続される。このように、遊技盤３２、貯球タンク２５、導通プレート１７０を内枠１４に装着するだけで、遊技球の通路部を簡単にアース接続することができ、したがって、アース接続の作業性が良好になる。
【００５４】
さらに、本実施形態では、各部材の接続にバネ部材（板バネ１９４Ａ、１９４Ｂ及び導通バネ１６８）を用いたことで、各接続部の導通が確実なものとなり、さらに構成も簡素化することができている。
【００５５】
また、本実施形態では、内枠１４に取り付けた施錠装置２２をアース接続し、一体皿２６側の球送り装置１１２は、アース線１１４によって補強板１０６に導通させたことで、一体皿２６を内枠１４に閉じると、補強板１０６の矩形孔１０８Ａ、１０８Ｂが施錠装置２２のフック１１０Ａ、１１０Ｂに係合して一体皿２６を閉塞状態にロックするとともに、補強板１０６と施錠装置２２とが導通して、球送り装置１１２が外部とアース接続される。したがって、内枠１４と一体皿２６との間では、球送り装置１１２をアース接続する際に、導線等を省いた簡単な接続構造とすることができている。
【００５６】
なお、上述の実施形態では、圧接によって各部を導通させるために金属製のバネ部材を用いたが、それ以外にも、導電ゴム等の導電性樹脂材料による弾性部材等に置き換えることができる。また、内枠１４と一体皿２６との間における電気部品のアース接続については、本実施形態のパチンコ機１０におけるガラス枠２０や、従来機種の上皿等に適用することも可能である。例えば、ガラス枠２０の場合は、基板６７Ａ〜６７Ｇ等を必要に応じアース線で補強板１００に接続することで、容易に実現することができる。
【００５７】
【発明の効果】
本発明の遊技機は上記構成としたので、遊技球の通路を形成する球通路部材をアース接続する際に、その作業性が良好になる。
【図面の簡単な説明】
【図１】本発明の一実施形態に係るパチンコ機を示した斜視図である。
【図２】本発明の一実施形態に係るパチンコ機を示した正面図である。
【図３】本発明の一実施形態に係る内枠の概略構成を示した正面図である。
【図４】本発明の一実施形態に係るパチンコ機を裏面側から見た斜視図である。
【図５】本発明の一実施形態に係るパチンコ機を裏面側から見た分解斜視図である。
【図６】本発明の一実施形態に係る貯球タンク取付部近傍を裏面側から見た分解斜視図である。
【図７】本発明の一実施形態に係る貯球タンク取付部近傍を裏面側から見た斜視図である。
【図８】本発明の一実施形態に係る貯球タンク取付部近傍の側断面図である。
【符号の説明】
１０        パチンコ機（遊技機）
１２        外枠
１４        内枠
１４Ａ      裏面
２２        施錠装置（ロック手段）
２３        打球発射装置
２５        貯球タンク（球通路部材）
２５Ｄ      タンク底面（通路部）
２６        一体皿（開閉部材／打球供給皿）
３２        遊技盤（球通路部材）
３６        外バンド（通路部）
３７        内バンド（通路部）
１０６        補強板（係合部材）
１１２        球送り装置（電気部品）
１２０        裏セット（機構枠体）
１６８        導通バネ（導通手段／バネ部材）
１７０        導通プレート（球通路部材／導通手段）
１７６        凸部（接続部）
１８２        装飾部材（接続部）
１８４ プレート本体（導通手段）
１８６        上壁部（通路部）
１８８        傾斜板（通路部）
１９０        傾斜面部（通路部）
１９２        後壁部（接続部）
１９４Ａ      板バネ（導通手段／第２バネ部材）
１９４Ｂ      板バネ（導通手段／第１バネ部材）
【図１】
0004284080.tif 000002
【図２】
0004284080.tif 000003
【図３】
0004284080.tif 000004
【図４】
0004284080.tif 000005
【図５】
0004284080.tif 000006
【図６】
0004284080.tif 000007
【図７】
0004284080.tif 000008
【図８】
0004284080.tif 000009